(57)【要約】【課題】長尺の可撓性医療部材の保持力に優れ、かつ、可撓性医療部材を基端側から引き抜いた場合であっても、可撓性医療部材が変形したり破損したりすることがない台紙を提供する。【解決手段】長尺の可撓性医療部材７を保持するための平坦面２を有する台紙１であって、平坦面２に、Ｕ字状の先端側タブ３と、基端側タブ５とが対で形成されており、先端側タブ３は、頂部３２が先端側に指向するように、台紙１がＵ字状に切り込まれて形成されてなり、基端側タブ５は、基端側タブ５の先端側の切り込みが、先端側タブ３の基端側の切り込みと並行に向き合うように、かつ、基端側タブ５の先端側の切り込みと、先端側タブ３の基端側の切り込みとの間が、保持する可撓性医療部材７の直径よりも大きい間隙を有するように、台紙１が切り込まれて形成されてなる、台紙。【選択図】図１
2015213622.tif 000002
【特許請求の範囲】
【請求項１】
長尺の可撓性医療部材を保持するための平坦面を有する台紙であって、
前記平坦面に、前記可撓性医療部材を保持するように、Ｕ字状の先端側タブと、基端側タブとが対で形成されており、
前記先端側タブと前記基端側タブとは、前記可撓性医療部材が前記台紙に保持されている時、前記先端側タブが前記基端側タブよりも前記可撓性医療部材の先端側に位置するように対となっており、
前記先端側タブは、頂部が前記可撓性医療部材の先端側に指向するように、前記台紙がＵ字状に切り込まれて形成されてなり、
前記基端側タブは、前記基端側タブの、前記可撓性医療部材の先端側の切り込みが、前記先端側タブの前記可撓性医療部材の基端側の切り込みと並行に向き合うように、かつ、前記基端側タブの前記先端側の切り込みと、前記先端側タブの前記基端側の切り込みとの間が、保持する前記可撓性医療部材の直径よりも大きい間隙を有するように、前記台紙が切り込まれて形成されてなる、台紙。
【請求項２】
前記基端側タブは、前記台紙がＶ字状に切り込まれて形成されてなる、請求項１に記載の台紙。
【発明の詳細な説明】
【技術分野】
【０００１】
本発明は、台紙に関するものである。
【背景技術】
【０００２】
従来から、カテーテル等の可撓性医療部材は、平坦面を有する台紙上に保持されて、滅菌状態で包装体とされるのが一般的である。このような台紙は、カテーテル等の可撓性医療部材を保持するために、複数のタブを備えており、前記タブは、Ｖ字状、Ｕ字状等の形状に台紙を切り込むことで形成されている。そして、台紙を切り込まれて形成されたタブを、台紙の平坦面よりも若干持ち上げ、台紙の平坦面とタブとの間に可撓性医療部材を挟むことにより、可撓性医療部材が台紙に保持される。この時、タブの挟み込み力、即ち、持ち上げられたタブが元の平坦面に戻ろうとする力が弱いと、可撓性医療部材の保持力が不足するという問題が生じる。一方、タブの挟み込み力、即ち、持ち上げられたタブが元に平坦面に戻ろうとする力が強いと、包装体とされた後、使用時に可撓性医療部材を包装体から取り出し難くなるという別の問題が生じる。特に、可撓性医療部材が長尺の場合は、包装体から取り出す際に、可撓性医療部材の基端側を把持し、包装体から引き抜くように可撓性医療部材を取り出すことが多いが、その際、先端部に湾曲を有するカテーテルのように、可撓性医療部材の先端部が直線状ではない場合、先端部がタブに引っ掛かり、先端部が変形したり破損したりするという問題が生じる。
【０００３】
例えば、特許文献１には、カテーテル等の長尺の可撓性医療部材を保持するための平坦面を有する台紙であって、平坦面に、可撓性医療部材を保持するように、比較的大型のタブ及び比較的小型のタブが対で形成されており、比較的大型のタブ及び比較的小型のタブは、頂部が丸みを帯びた三角形状（Ｕ字状）に台紙が切り込まれて形成された台紙が開示されている。また、上記のような形状のタブを対で形成することにより、可撓性医療部材を台紙から取り出す時の可撓性医療部材の損傷が低減されることが開示されている。
【０００４】
また、例えば、特許文献２には、カテーテル等の長尺の可撓性医療部材を保持するための平坦面を有する台紙であって、平坦面に、可撓性医療部材を保持するように、Ｌ字状又はへ字状のタブが対で形成されており、Ｌ字状又はへ字状のタブは、台紙が切り込まれて形成されてなることが開示されている。また、上記タブの両端部に、可撓性医療部材の先端方向に向かって切り込みを入れることで、可撓性医療部材の引き抜き抵抗が低減されることが開示されている。
【０００５】
上記のように、従来から、可撓性医療部材を引き抜いた場合であっても、可撓性医療部材の損傷を防止し、引き抜き抵抗が小さい、台紙のタブの形状が提案されている。
しかしながら、可撓性医療部材の形状は様々であり、種々の形状の可撓性医療部材に適用できるように、さらに、可撓性医療部材の保持力に優れ、かつ、可撓性医療部材を台紙から引き抜いた場合であっても、可撓性医療部材が変形したり破損したりすることがない台紙が求められている。
【先行技術文献】
【特許文献】
【０００６】
【特許文献１】特表２００７−５２７２９５号公報
【特許文献２】特開２００９−２０１８２６号公報
【発明の概要】
【発明が解決しようとする課題】
【０００７】
本発明は、長尺の可撓性医療部材を保持するための平坦面を有する台紙において、可撓性医療部材の保持力に優れ、かつ、可撓性医療部材を基端側から引き抜いた場合であっても、可撓性医療部材が変形したり破損したりすることがない台紙を提供することを目的とする。
【課題を解決するための手段】
【０００８】
本発明は、長尺の可撓性医療部材を保持するための平坦面を有する台紙であって、前記平坦面に、前記可撓性医療部材を保持するように、Ｕ字状の先端側タブと、基端側タブとが対で形成されており、前記先端側タブと前記基端側タブとは、前記可撓性医療部材が前記台紙に保持されている時、前記先端側タブが前記基端側タブよりも前記可撓性医療部材の先端側に位置するように対となっており、前記先端側タブは、頂部が前記可撓性医療部材の先端側に指向するように、前記台紙がＵ字状に切り込まれて形成されてなり、前記基端側タブは、前記基端側タブの、前記可撓性医療部材の先端側の切り込みが、前記先端側タブの前記可撓性医療部材の基端側の切り込みと並行に向き合うように、かつ、前記基端側タブの前記先端側の切り込みと、前記先端側タブの前記基端側の切り込みとの間が、保持する前記可撓性医療部材の直径よりも大きい間隙を有するように、前記台紙が切り込まれて形成されてなることを特徴とする。
【０００９】
また、前記基端側タブは、前記台紙がＶ字状に切り込まれて形成されてなることが好ましい。
【発明の効果】
【００１０】
本発明の台紙は、その平坦面に、可撓性医療部材を保持するように、Ｕ字状の先端側タブと、基端側タブとが対で形成されており、先端側タブは、頂部が可撓性医療部材の先端側に指向するように、台紙がＵ字状に切り込まれて形成されてなり、基端側タブは、基端側タブの、可撓性医療部材の先端側の切り込みが、先端側タブの可撓性医療部材の基端側の切り込みと並行に向き合うように、かつ、基端側タブの先端側の切り込みと、先端側タブの基端側の切り込みとの間が、保持する可撓性医療部材の直径よりも大きい間隙を有するように、台紙が切り込まれて形成されてなるので、可撓性医療部材として先端に湾曲を有するカテーテル等を保持させた場合であっても、可撓性医療部材を台紙から引き抜いたりする際に先端部が引っ掛かることがなく、可撓性医療部材が変形したり破損したりすることがない。また、先端側タブと基端側タブとで、可撓性医療部材を確実に保持することが可能であり、可撓性医療部材の保持力にも優れている。
【００１１】
また、上記基端側タブの形状をＶ字状とした場合には、台紙と基端側タブとが切り離されていない、いわゆる基端側タブの底辺の長さを長く確保することができるので、基端側タブを必要以上に大きく形成することなく優れた挟み込み力を発現させることができ、可撓性医療部材に対する優れた保持力を容易に発現させることができる。
【図面の簡単な説明】
【００１２】
【図１】本発明の台紙の実施の形態の１つを模式的に示した正面図である。
【図２】（ａ）図１のＡ部の拡大図である。（ｂ）図１のＢ部の拡大図である。
【図３】本発明の台紙の実施の形態に可撓性医療部材を保持させた使用状態の１つを模式的に示した正面図である。
【発明を実施するための形態】
【００１３】
以下、本発明の実施の形態を図面を参照して説明するが、本発明はこれらに限定されるものではない。尚、図１において、図示左側が台紙に保持される可撓性医療部材の先端側であり、図示右側が、台紙に保持される可撓性医療部材において、コネクタ等が接続される基端側である。
【００１４】
図１は、本発明の台紙の第１の形態を模式的に示した正面図である。図２（ａ）は、図１のＡ部の拡大図であリ、図２（ｂ）は、図１のＢ部の拡大図である。また、図３は、本発明の台紙の第１の形態に可撓性医療部材を保持させた使用状態の１つを模式的に示した正面図である。
【００１５】
台紙１は、平坦面２を有しており、平坦面２上に、先端側タブ３、４と基端側タブ５、６とが形成されている。先端側タブ３、４及び基端側タブ５、６は、いずれも台紙２をカッター等で切り込むことで形成されている。先端側タブ３と先端側タブ４とは向きが異なっており、先端側タブ３は、平坦面２と切り離されていないタブの底辺３１が図示上側に位置しており、先端側タブ４は、平坦面２と切り離されていないタブの底辺４１が図示下側に位置している。同様に、基端側タブ５と基端側タブ６とは向きが異なっており、基端側タブ５は、平坦面２と切り離されていないタブの底辺５１が図示下側に位置しており、基端側タブ６は、平坦面２と切り離されていないタブの底辺６１が図示上側に位置している。先端側タブ３、４及び基端側タブ５、６は、先端側タブ３と基端側タブ５とが対で可撓性医療部材７を保持するように形成され、また、先端側タブ４と基端側タブ６とが対で可撓性医療部材７を保持するように形成されている。いずれか一方の対のみが平坦面２上に形成されていてもよいが、保持させる可撓性医療部材７に応じていずれでも選択できるように、両方の対が平坦面２上に複数形成されているのが好ましい。
【００１６】
上記台紙１の形状及び大きさは、長尺の可撓性医療部材７を保持できる形状及び大きさであれば特には限定されず、例えば、長尺の可撓性医療部材７としてカテーテルを保持する場合は、カテーテルよりも長さの長い長方形のシート状であるのが好ましい。また、可撓性医療部材７の全体を保持できる形状及び大きさであるのが好ましいが、可撓性医療部材７を部分的に保持できる形状及び大きさであってもよい。図３は、台紙１に、カテーテル等の長尺の可撓性医療部材７を保持させた使用状態を示している。台紙１は、カテーテル等の可撓性医療部材７の全体を保持できる長方形のシート状であり、平坦面２上に可撓性医療部材７を載置するとともに、平坦面２と先端側タブ３及び基端側タブ４との間に可撓性医療部材７を挟むことで、保持している。
上記台紙１を構成する材料は、特には限定されず、紙、樹脂、発泡樹脂等の従来公知の任意の材料が挙げられる。
【００１７】
上記台紙１は、可撓性医療部材７を保持するための平坦面２を有する。平坦面２は、厳密な平坦面である必要はなく、可撓性医療部材７を載置できる程度の平坦面であればよい。
【００１８】
上記先端側タブ３、４は、滑らかな頂部３２、４２を有するＵ字状であり、対となる基端側タブ５、６よりも先端側に位置している。また、Ｕ字状であるとは、図１〜図３に示している通り、Ｕ字が歪んだような形状も含む。
先端側タブ３、４は、その頂部３２、４２が先端側に指向するように、台紙１がＵ字状に切り込まれて形成されてなる。頂部３２、４２が先端側に指向しているとは、保持される可撓性医療部材７の軸方向において、頂部３２、４２が、タブの底辺３１、４１の先端３１１、４１１よりも先端側に位置している状態をいう。
【００１９】
先端側タブ３、４の先端側３３、４３は、直線状であってもなだらかな曲線状であってもいずれでもよい。また、先端側タブ３、４の基端側３４、４４は、直線状であってもなだらかな曲線状であってもよいが、後述する基端側タブ５、６の先端側５３、６３との位置関係を調整し易いので、直線状であるのが好ましい。
【００２０】
先端側タブ３、４を上記のような形状とすることにより、台紙１に、先端部７１に湾曲を有する可撓性医療部材７を保持させた場合であっても、可撓性医療部材７を台紙１から取り外す際に、可撓性医療部材７の先端部７１が先端側タブ３、４に引っ掛かることがない。従って、可撓性医療部材７が先端側タブ３、４により変形したり破損したりすることがない。
【００２１】
上記基端側タブ５、６は、対となる先端側タブ３、４よりも基端側に位置している。
基端側タブ５、６は、その先端側５３、６３が、上記先端側タブ３、４の基端側３４、４４と並行に向き合うように形成されている。従って、先端側タブ３、４の基端側３４、４４が直線状である場合は、基端側５、６の先端側５３、６３も直線状であり、先端側タブ３、４の基端側３４、４４が曲線状である場合は、基端側５、６の先端側５３、６３もそれに対応する曲線状である。先端側タブ３、４の基端側３４、４４、及び基端側タブ５、６の先端側５３、６３は、位置関係を調整し易いので、直線状であるのが好ましい。
【００２２】
上記基端側タブ５、６及び上記先端側タブ３、４は、並行に向き合う上記基端側タブ５、６の先端側５３、６３と上記先端側タブ３、４の基端側３４、４４との間隙が、保持する可撓性医療部材７の直径よりも大きくなるように形成されている。即ち、基端側タブ５の先端側５３と先端側タブ３の基端側３４との間隙Ｌ１、及び基端側タブ６の先端側６３と先端側タブ４の基端側４４との間隙Ｌ２は、保持する可撓性医療部材７の直径よりも大きくされている。
【００２３】
基端側タブ５、６の頂部５２、６２は、Ｖ型であっても、滑らかな曲面であるＵ型であってもよいが、Ｖ型であるのが好ましい。頂部５２、６２がＶ型であると、底辺５１、６１から頂部５２、６２までの長さを長くとることができるので、可撓性医療部材７を保持し易い。なお、Ｖ型の頂部５２、６２は、可撓性医療部材７を保持させる際に頂部５２、６２が操作者の手に突き刺ささることがないように、また、包装体とした際に頂部５２、６２が包装体のフィルム等を傷つけることがないように、角は若干滑らかにされているのが好ましい。
【００２４】
基端側タブ５、６の基端側５４、６４は、直線状であってもなだらかな曲線状であってもいずれでもよい。基端側タブ５、６の挟み込み力、即ち、可撓性医療部材７の保持力を向上させるためには、基端側タブ５、６の面積が大きく、かつ、基端側タブ５、６の底辺５１、６１が長い方が好ましいが、基端側タブ５、６の面積を維持しつつ、底辺５１、６１の長さも確保できるので、基端側タブ５、６の基端側５４、６４は直線状であるのが好ましい。
【００２５】
従って、基端側タブ５、６は、先端側５３、６３及び基端側５４、６４が直線状であり、かつ、頂部５２、６２がＶ型のＶ字状であるのが好ましい。
【００２６】
基端側タブ５、６を上記のように形成することにより、可撓性医療部材７を確実に保持することができ、さらに、台紙１に、先端部７１に湾曲を有する可撓性医療部材７を保持させた場合であっても、可撓性医療部材７を台紙１から取り外す際に、可撓性医療部材７の先端部７１が基端側タブ５、６に引っ掛かることがなく、カテーテル７が先端側タブ３、４により変形したり破損したりすることがない。
【００２７】
上記平坦面２上には、上記先端側タブ３、４及び上記基端側タブ５、６の他にも、必要に応じて他の形状のタブが形成されていてもよい。
例えば、可撓性医療部材７の基端側に取り付けられることが多い嵩高なコネクタ７２を保持するための、内部に貫通孔を有するトンネル状タブ８や、可撓性医療部材７の保持位置が平坦面２上でずれることを抑制する、位置規制用タブ９などを設けてもよい。
【００２８】
上記可撓性医療部材７としては、カテーテル、シース等が挙げられる。また、可撓性医療部材７は、その先端部７１に湾曲を有していてもよい。例えば、カテーテルは先端部に湾曲を有するものが多く、このようなカテーテルを保持するのに、本発明の台紙１は適している。
【００２９】
次に、台紙１の使用方法を説明する。長尺の可撓性医療部材７を、必要に応じて設けられた上記トンネル状タブ８や上記位置規制用タブ９に保持させつつ、先端側タブ３、４及び基端側タブ５、６を持ち上げ、平坦面２と先端側タブ３、４及び基端側タブ５、６との間に可撓性医療部材７を挟みこむことで、台紙１の平坦面２上に可撓性医療部材７を保持させる。
【００３０】
先端側タブ３、４及び基端側タブ５、６は、全てを使用する必要はなく、使用するタブを適宜調整する。
例えば、先端部７１に湾曲を有する可撓性医療部材７を保持させる場合は、先端部７１の湾曲方向と同じ向きに形成されている先端側タブ３、４を選択して使用する。図３では、可撓性医療部材７は、図示下側に湾曲している先端部７１を有しているので、このような可撓性医療部材７を保持させる場合は、先端部７１の湾曲方向と同じ図示下側に向いて形成されている先端側タブ３を選択して使用する。即ち、先端側タブ３と基端側タブ５との対で可撓性医療部材７を保持させる。この場合、先端側タブ４と基端側タブ６との対は使用せずに、平坦面２から持ち上げることなく平坦面２を構成する一部分としておく。
【００３１】
台紙１に可撓性医療部材７を保持させた後、従来公知の方法で包装袋に収納し、包装体とする。その後、必要に応じて滅菌、減菌等を行う。
【００３２】
上記のようにして得られた包装体は、医師等により包装体が開封され、可撓性医療部材７が包装袋から取り出されて使用される。取り出す際は、可撓性医療部材７を台紙１ごと包装袋から取り出した後、可撓性医療部材７を台紙１から丁寧に取り外すことが多いが、可撓性医療部材７は長尺であるので、可撓性医療部材７の基端側から包装袋を開封した後、可撓性医療部材７の基端を把持して、可撓性医療部材７を包装袋及び台紙１から抜き出すことも多い。本発明の台紙１は、上記のような構成を有しているので、可撓性医療部材７が台紙１から引き抜かれた場合であっても、可撓性医療部材７が変形したり破損したりすることがない。
【符号の説明】
【００３３】
１・・・台紙
２・・・平坦面
３、４・・・先端側タブ
５、６・・・基端側タブ
３１、４１、５１、６１・・・底辺
３１１、４１１・・・底辺の先端
３２、４２、５２、６２・・・頂部
３３、４３、５３、６３・・・先端側
３４、４４、５４、６４・・・基端側
７・・・可撓性医療部材
７１・・・先端部
８・・・トンネル状タブ
９・・・位置規制用タブ
【図１】
2015213622.tif 000003
【図２】
2015213622.tif 000004
【図３】
2015213622.tif 000005